(57)【要約】【課題】クローラ走行装置のコスト低減と軽量化を図りながらも、前方障害物の乗り越え性能を十分に発揮させることができ、しかも、作業走行時の推進を確実に行うことができるとともに、機体旋回操作も容易となるクローラ走行式の歩行型管理機を提供する。【解決手段】側面視で伝動ケース９の下端部がエンジン７の直下方近くに位置するよう配備するとともに、伝動ケース９の下端部に軸支した駆動スプロケット１１と、駆動スプロケット１１より後方下部に位置させてトラックフレーム１２に軸支した前後一対の接地用の転輪１３，１４とに亘ってクローラベルト１５を巻き掛けてクローラ走行装置２を構成し、このクローラ走行装置２とロータリ作業装置３のローター部３ａを平坦面Ｌに接地させた状態において、クローラ走行装置２の接地部Ｓが後上がり傾斜姿勢となるように設定してある。【選択図】　　　　図１
2004105023.tif 000002
【特許請求の範囲】
【請求項１】
エンジンの後方にミッションケースを配備し、ミッションケースから下方に向けて延出した伝動ケースにクローラ走行装置を装着するとともに、ミッションケースの後部にロータリ作業装置を連結し、かつ、ミッションケース上部に連結した操縦ハンドルをロータリ作業装置を越えて後方にまで延出したクローラ走行式の歩行型管理機において、
側面視で前記伝動ケースの下端部がエンジンの直下方近くに位置するよう配備するとともに、伝動ケースにトラックフレームを装着し、前記伝動ケースの下端部に軸支した駆動スプロケットと、駆動スプロケットより後方下部に位置させて前記トラックフレームに軸支した前後一対の接地用の転輪とに亘ってクローラベルトを巻き掛けて前記クローラ走行装置を構成し、かつ、このクローラ走行装置と前記ロータリ作業装置のローター部を平坦面に接地させた状態において、クローラ走行装置の接地部が後上がり傾斜姿勢となるようにクローラ走行装置とロータリ作業装置の相対位置を設定してあることを特徴とするクローラ走行式の歩行型管理機。
【請求項２】
前記クローラ走行装置と前記ロータリ作業装置のローター部を平坦面に接地させた状態におけるクローラ走行装置の接地部の後上がり傾斜角度を変更調節可能に構成してある請求項１記載のクローラ走行式の歩行型管理機。
【請求項３】
前後一対の前記転輪を、クローラベルトの内周に突設した左右一対の案内突起の間を転動する内転輪に構成してある請求項１または２記載のクローラ走行式の歩行型管理機。
【発明の詳細な説明】
【０００１】
【発明の属する技術分野】
本発明は、小幅のクローラ走行装置で畝間などを安定良く、かつ、十分な推力でもって走行できるよう構成したクローラ走行式の歩行型管理機に関する。
【０００２】
【従来の技術】
従来、クローラ走行式の上記歩行型管理機に装備されたクローラ走行装置は、エンジン動力を受けるギヤケースから下方に向けて延出された走行伝動ケースの下端に駆動スプロケットを軸支するとともに、走行伝動ケースに連結した支持フレームに上部転輪と前後一対の接地転輪を遊転自在に軸支し、これら駆動スプロケットと３個の転輪に亘ってクローラベルトを巻き掛け張設して構成され、かつ、３個の転輪のうち、前端上部転輪は障害物乗り越え用として他の接地転輪よりも高く、かつ、駆動スプロケットよりも前方に配備されるとともに、クローラ走行装の置接地面が機体前進方向に対して上向き傾斜するよう構成されていた（特許文献１参照。）。
また、上記と同様な構成で、転輪が外転輪に構成されたものもある（特許文献２参照。）。
【０００３】
【特許文献１】
特開２００１−２６９００４号公報（図１、図３）
【特許文献２】
特開２００１−１６３２７３号公報（図１、図３）
【０００４】
【発明が解決しようとする課題】
上記した従来のクローラ走行装置は、駆動スプロケットと３個の転輪に亘って４点掛けでクローラベルトを巻き掛ける仕様であるために、クローラベルトの周長が長くなり、コストアップと重量増大化を招いていた。また、転輪が３個使用されることもコストアップと重量増大化を招く一因となっていた。
【０００５】
また、接地転輪が外転輪に構成されていると、左右方向の傾斜地において接地転輪がクローラベルトの内周に突設した案内突起から外れてしまって、脱輪しやすくなるものであった。
【０００６】
本発明は、このような点に着目してなされたものであって、転輪数を少なくしてクローラ走行装置のコスト低減と軽量化を図りながらも、畦などの前方障害物の乗り越え性能を十分に発揮させることができ、しかも、作業走行時の推進を確実に行うことができるとともに、機体旋回操作も容易となるクローラ走行式の歩行型管理機を提供することを目的とする。
【０００７】
【課題を解決するための手段】
〔請求項１に係る発明の構成、作用、および効果〕
【０００８】
請求項１に係る発明は、エンジンの後方にミッションケースを配備し、ミッションケースから下方に向けて延出した伝動ケースにクローラ走行装置を装着するとともに、ミッションケースの後部にロータリ作業装置を連結し、かつ、ミッションケース上部に連結した操縦ハンドルをロータリ作業装置を越えて後方にまで延出したクローラ走行式の歩行型管理機において、
側面視で前記伝動ケースの下端部がエンジンの直下方近くに位置するよう配備するとともに、伝動ケースにトラックフレームを装着し、前記伝動ケースの下端部に軸支した駆動スプロケットと、駆動スプロケットより後方下部に位置させて前記トラックフレームに軸支した前後一対の接地用の転輪とに亘ってクローラベルトを巻き掛けて前記クローラ走行装置を構成し、かつ、このクローラ走行装置と前記ロータリ作業装置のローター部を平坦面に接地させた状態において、クローラ走行装置の接地部が後上がり傾斜姿勢となるようにクローラ走行装置とロータリ作業装置の相対位置を設定してあることを特徴とする。
【０００９】
上記構成によると、トラックフレームに装備する転輪は接地用の前後一対のみであり、クローラベルトも駆動スプロケットと一対の転輪とに３点掛けに必要な周長ですむ。また、クローラ走行装置の前部は、前方上部の駆動スプロケットとその後方下部に位置する前部転輪とに巻き掛けられたクローラベルトによって大きい迎え角をもたすことができる。
【００１０】
また、ロータリ作業装置のローター部を地面に没入させての作業走行時には、ローター部の地中への没入深さが大きくなって前進抵抗が大きくなるほどクローラ走行装置の接地面積が大きくなって推進力が増大する。また、畦際で機体を方向転換する場合には、ロータリ作業装置のローター部を地面から浮上させるように操縦ハンドルを持ち上げて機体全体を前傾斜させることになるが、この場合、クローラ走行装置は前後の転輪によって形成される接地部の前端部だけが接地した状態、つまり、一点接地に近い状態となり、操縦ハンドルを左右に振って機体の向きを変える操作が軽く行える。
【００１１】
従って、請求項１の発明によると、転輪の数を接地面を構成するのに必要最少限度の前後一対にすることで、軽量化とコスト低減を図ることができるのみならず、クローラベルトも周長の短いものですますことができ、クローラ走行装置の軽量化とコスト低減に一層有効となる。しかも、クローラ走行装置前部の迎え角を十分に確保して障害物乗り越え性能を十分に発揮させることができ、高い走破性をもたらすことができた。
【００１２】
しかも、クローラ走行装置とロータリー作業装置の相対姿勢位置を合理的に設定することで、作業走行時に大きい推力を発揮させて作業能率を向上することができるとともに、ロータリー作業装置を持ち上げての機体方向転換を一点接地状態で軽快に行うことができ、取り扱い性にも優れたものとなった。
【００１３】
〔請求項２に係る発明の構成、作用、および効果〕
【００１４】
請求項２に係る発明は、請求項１の発明において、前記クローラ走行装置と前記ロータリ作業装置のローター部を平坦面に接地させた状態におけるクローラ走行装置の接地部の後上がり傾斜角度を変更調節可能に構成してある。
【００１５】
上記構成によると、ローター部を深く地中に没入させる作業時には、クローラ走行装置の接地面の後上がり傾斜角度を大きく設定調節しておくことで、作業走行時におけるクローラ走行装置の接地面積を十分大きくして、ローター部による走行抵抗の増大に対応した推進力を得ることができる。
【００１６】
従って、請求項２の発明によると、作業条件に好適な推進力をもたらす接地状態での走行を行うことができ、作業性能を向上することができる。
【００１７】
〔請求項３に係る発明の構成、作用、および効果〕
【００１８】
請求項３に係る発明は、請求項１または２の発明において、前後一対の前記転輪を、クローラベルトの内周に突設した左右一対の案内突起の間を転動する内転輪に構成してある。
【００１９】
上記構成によると、接地転輪が内転輪であると、左右方向の傾斜地を走行する場でも、クローラベルトが地面に沿って傾斜しても、転輪はクローラベルトの内周に突設した左右の案内突起の間に機体重量によって入り込む状態に維持されることになり、脱輪のおそれなく左右傾斜地を走行することができる。
【００２０】
【発明の実施の形態】
図１に本発明に係るクローラ走行式の歩行型管理機の側面図が示されている。この歩行型管理機は、機体１の下部にクローラ走行装置２を備えるとともに、機体２の後部にロータリ作業装置の一例であるロータリ耕耘装置３を連結し、かつ、機体２の後部上方から後方上方に向けて操縦ハンドル４を延出して構成されている。
【００２１】
前記機体１には、ギヤ式の変速機構を内層したミッションケース５、このミッションケース５から前方に延出した前フレーム６に搭載されたエンジン７、エンジン出力をミッションケース５に伝達するベルト伝動装置８、ミッションケース５から前方下方に向けて延出した伝動ケース９、等が備えられており、ミッションケース５に入力されたエンジン動力は走行系と作業系に分岐され、走行系の動力が伝動ケース９に伝達されるとともに、作業系の動力がロータリ作業装置３に伝達されるようになっている。
【００２２】
前記クローラ走行装置２は、前記伝動ケース９の下端に軸支された駆動スプロケット１１、伝動ケース９に連結固定されたトラックフレーム１２、このトラックフレーム１２に遊転自在に軸支された前後一対の転輪１３，１４、これら駆動スプロケット１１および両転輪１３，１４に亘って巻き掛けられたゴム製のクローラベルト１５、等によって構成されている。
【００２３】
ここで、前記伝動ケース９は、その下端部が側面視において、前記エンジン７の略直下に位置するようにミッションケースから前方下方に向けて延出されるとともに、前側の転輪１３が伝動ケース９下端の駆動スプロケット１１よりも後方で下方に位置するように配備され、この前方上部の駆動スプロケット１１と、その下方後部の転輪１３に亘って巻きかけられたクローラベルト部分で、障害物乗り越え用に前上がりの迎え角αが確保されている。
【００２４】
前記クローラベルト１５の内周には、左右一対の案内突起１５ａが周方向に一定ピッチをもって突設されるとともに、前後の転輪１３，１４はこの左右の案内突起１５ａの間を転動する内転輪に構成されている。そして、後側の転輪１４は、トラックフレーム１２に対して前後に位置調節可能に支持されており、この調節によってクローラベル１５の張り調節を行うことができるようになっている。
【００２５】
そして、クローラ走行装置２とロータリ耕耘装置３のロータ部３ａを平坦面Ｌに接地させた状態において、クローラ走行装置２の前後輪１３，１４間に形成される接地部Ｓが後上がり傾斜角θを有する姿勢となるようにクローラ走行装置２とロータリ耕耘装置３の相対位置が設定されている。
【００２６】
そして、前記トラックフレーム１２は、駆動スプロケット１１の軸心Ｐを中心に揺動可能に伝動ケース９の下端部に支持されており、伝動ケース９に固着した支持ブラケット１６に１本のボルト１７によって締め付け連結することでトラックフレーム１２を固定できるとともに、トラックフレーム１２に形成された２つの連結孔１８のいずれかをボルト挿通孔に選択することで、トラックフレーム１２を二つの姿勢で固定できるようになっている。なお、図３に示すように、トラックフレーム１２がいずれの姿勢にセットされても、クローラ走行装置２の接地部Ｓは前記平坦Ｌ面に対して後上がり傾斜角θを有すものとなっている。
【００２７】
本発明に係る歩行型管理機は以上にように構成されており、ロータリ耕耘装置３のロータ部３ａを地中に入り込ませて作業走行を行うと、図　に示すように、クローラ走行装置２の接地部Ｓが大きい接地面積で接地することで十分な推力がもたらされる。また、ロータ部３ａを地中に深く入り込ませて作業走行を行う場合には、クローラ走行装置２における接地部Ｓの前記後上がり傾斜角θが大きくなるようにトラックフレーム１２の姿勢を調節しておくことで、図４に示すように、クローラ走行装置２の接地部Ｓを大きい接地面積で接地させて走行することができる。
【００２８】
また、畦際などで機体を方向転換する場合には、図５に示すように、ロータリ耕耘装置３のローター部３ａを地面から浮上させるように操縦ハンド４ルを持ち上げて機体全体を前傾斜させることになるが、この場合、クローラ走行装置２は接地部Ｓの前端部だけが接地した状態、つまり、一点接地に近い状態となり、操縦ハンドル４を左右に振って機体の向きを変える操作が軽く行える。
【００２９】
〔別実施形態〕
本発明は、以下のような形態で実施することもできる。
（１）クローラ走行装置２におけるトラックフレーム１２の取付け姿勢を所定範囲において連続的に調節可能に構成するもよく、かつ、その調節範囲において常に接地部Ｓが後上がり傾斜角を有するように設定することもできる。
（２）クローラ走行装置２における接地部Ｓの後上がり傾斜角θを調節可能に構成するに、その調節範囲の最低値を零度（θ＝０）に設定しておくこともできる。
【図面の簡単な説明】
【図１】歩行型管理機の全体側面図
【図２】クローラ走行装置の縦断面図
【図３】クローラ走行装置の側面図
【図４】作業状態における歩行型管理機の全体側面図
【図５】機体旋回状態における歩行型管理機の側面図
【符号の説明】
２　　　　　　クローラ走行装置
３　　　　　　ロータリ作業装置
３ａ　　　　　ローター部
４　　　　　　操縦ハンドル
５　　　　　　ミッションケース
７　　　　　　エンジン
９　　　　　　伝動ケース
１１　　　　　駆動スプロケット
１２　　　　　トラックフレーム
１３　　　　　転輪（前）
１４　　　　　転輪（後）
１５　　　　　クローラベルト
１５ａ　　　　案内突起
【図１】
2004105023.tif 000003
【図２】
2004105023.tif 000004
【図３】
2004105023.tif 000005
【図４】
2004105023.tif 000006
【図５】
2004105023.tif 000007